(57)【要約】【課題】  用途の異なる撮像手段による録画画像を区別して再生することができ、再生した録画画像の確認作業を容易に行なうことができる録画機能付テレビドアホンを提供する。【解決手段】  カメラ付ドアホン子器２ａ，２ｂ、カメラ子器３で撮像した録画画像の再生時には、カメラ付ドアホン子器２ａ，２ｂの各ドアホンカメラ２０で撮像された来客画像のみを時系列順に再生する、あるいはカメラ子器３のセンサーカメラ３０で撮像されたセンサーカメラ画像のみを時系列順に再生する、カメラ付ドアホン子器２ａ，２ｂの各ドアホンカメラ２０で撮像された来客画像およびカメラ子器３のセンサーカメラ３０で撮像されたセンサーカメラ画像を時系列順に混在させて再生する、を家人は選択して映像表示用モニター１０に表示させる。【選択図】図１
2006157178.tif 000002
【特許請求の範囲】
【請求項１】
宅内に設置される親機と、来客確認を用途として来客を撮像する撮像手段を有し宅外の出入り口に設置されて親機との間で通話を行う１乃至複数のドアホン子器と、少なくとも防犯監視を用途として不審者を撮像するために宅内又は宅外に設置される１乃至複数の撮像手段と、各撮像手段の撮像映像を録画する録画手段と、録画画像を撮像手段の用途毎に区別して再生する再生手段とを備えることを特徴とする録画機能付テレビドアホン。
【請求項２】
宅内に設置される親機と、来客確認を用途として来客を撮像する撮像手段を有し宅外の出入り口に設置されて親機との間で通話を行う１乃至複数のドアホン子器と、少なくとも防犯監視を用途として不審者を撮像するために宅内又は宅外に設置される１乃至複数の撮像手段と、各撮像手段の撮像映像を録画する録画手段と、録画画像を撮像手段毎に区別して再生する再生手段とを備えることを特徴とする録画機能付テレビドアホン。
【請求項３】
前記再生手段は、録画画像を撮像手段の用途毎に区別して再生するモードと、全ての録画画像を時系列順に再生するモードとを切り替え可能であることを特徴とする請求項１記載の録画機能付テレビドアホン。
【請求項４】
前記再生手段は、録画画像を撮像手段毎に区別して再生するモードと、全ての録画画像を時系列順に再生するモードとを切り替え可能であることを特徴とする請求項２記載の録画機能付テレビドアホン。
【請求項５】
前記親機は、録画画像のデータを格納する記憶媒体を着脱自在に備え、録画画像のデータは、撮像した撮像手段の用途毎に区別できるように記憶媒体に格納されることを特徴とする請求項１または３記載の録画機能付テレビドアホン。
【請求項６】
前記親機は、録画画像のデータを格納する記憶媒体を着脱自在に備え、録画画像のデータは、撮像した撮像手段毎に区別できるように記憶媒体に格納されることを特徴とする請求項２または４記載の録画機能付テレビドアホン。
【発明の詳細な説明】
【技術分野】
【０００１】
本発明は、録画機能付テレビドアホンに関するものである。
【背景技術】
【０００２】
従来、玄関等の宅外に設置されて来客を撮像するカメラを具備した１台以上のカメラ付ドアホン子器と、カメラ付ドアホン子器で撮像された来客の画像を表示する表示装置を具備して宅内に設置されるドアホン親機とで構成され、ドアホン親機とカメラ付ドアホン子器との間で通話を行なう録画機能付テレビドアホンがある。そして、来客がカメラ付ドアホン子器の呼出釦を押下したときにはカメラ付ドアホン子器が来客を撮像し、各撮像映像はドアホン親機に録画される。宅内を留守にした場合にはドアホン親機に録画画像が蓄積されており、外出から帰ってきたときにはドアホン親機を操作して録画画像を再生することで来客の確認を行う。（例えば、特許文献１，２参照）
また、カメラ付ドアホン子器に加えて、不審者を撮像するカメラおよび不審者を検知する人感センサを具備したセンサーカメラを宅外または宅内に設置したものもあり、人感センサが不審者を検知したときはセンサーカメラが不審者を撮像し、撮像映像はドアホン親機に録画される。そして、ドアホン親機を操作して録画画像を再生することで不審者の確認を行う。
【０００３】
カメラ付ドアホン子器とセンサーカメラの両方の録画画像がドアホン親機に録画されている場合、従来はカメラ付ドアホン子器による来客画像とセンサーカメラによる不審者の画像の全ての録画画像を時系列順に再生していた。
【特許文献１】特開２００２−３３８３８号公報（段落番号［００１８］〜［００２２］、図１）
【特許文献２】特開平１１−２２５３２７号公報（段落番号［００１９］、［００３５］、［００４３］、図１、図２）
【発明の開示】
【発明が解決しようとする課題】
【０００４】
上記背景技術では、例えば２台のカメラ付ドアホン子器１００ａ，１００ｂと１台のセンサーカメラ１０１との両方が設置されている場合、図１０に示すように、録画画像の再生が開始されると（ステップＳ１００）、カメラ付ドアホン子器１００ａ，１００ｂで撮像された来客画像、およびセンサーカメラ１０１で撮像された不審者画像を時系列順に混在させて再生していたので、外出から帰ってきた家人が、どのような人が訪ねてきたのか来客の録画画像を確認しようとしても、カメラ付ドアホン子器で撮像した来客確認用の画像にセンサーカメラで撮像した防犯監視用の画像がところどころ挿入されてしまい、来客のみを確認しにくいという問題があった。また、不審者のみを確認しようとした場合は、防犯監視用の画像に来客確認用の画像が挿入されてしまい、不審者のみを確認しにくいという問題があった。
【０００５】
本発明は、上記事由に鑑みてなされたものであり、その目的は、用途の異なる撮像手段による録画画像を区別して再生することができ、再生した録画画像の確認作業を容易に行なうことができる録画機能付テレビドアホンを提供することにある。
【課題を解決するための手段】
【０００６】
請求項１の発明は、宅内に設置される親機と、来客確認を用途として来客を撮像する撮像手段を有し宅外の出入り口に設置されて親機との間で通話を行う１乃至複数のドアホン子器と、少なくとも防犯監視を用途として不審者を撮像するために宅内又は宅外に設置される１乃至複数の撮像手段と、各撮像手段の撮像映像を録画する録画手段と、録画画像を撮像手段の用途毎に区別して再生する再生手段とを備えることを特徴とする。
【０００７】
この発明によれば、用途の異なる撮像手段による録画画像を、撮像手段の用途毎に区別して再生することができ、再生した録画画像の確認作業を撮像手段の用途毎に容易に行なうことができる。
【０００８】
請求項２の発明は、宅内に設置される親機と、来客確認を用途として来客を撮像する撮像手段を有し宅外の出入り口に設置されて親機との間で通話を行う１乃至複数のドアホン子器と、少なくとも防犯監視を用途として不審者を撮像するために宅内又は宅外に設置される１乃至複数の撮像手段と、各撮像手段の撮像映像を録画する録画手段と、録画画像を撮像手段毎に区別して再生する再生手段とを備えることを特徴とする。
【０００９】
この発明によれば、用途の異なる撮像手段による録画画像を、撮像手段毎に区別して再生することができ、再生した録画画像の確認作業を撮像手段毎に容易に行なうことができる。
【００１０】
請求項３の発明は、請求項１において、前記再生手段は、録画画像を撮像手段の用途毎に区別して再生するモードと、全ての録画画像を時系列順に再生するモードとを切り替え可能であることを特徴とする。
【００１１】
この発明によれば、状況に応じて、再生モードを切り替えることができる。
【００１２】
請求項４の発明は、請求項２において、前記再生手段は、録画画像を撮像手段毎に区別して再生するモードと、全ての録画画像を時系列順に再生するモードとを切り替え可能であることを特徴とする。
【００１３】
この発明によれば、状況に応じて、再生モードを切り替えることができる。
【００１４】
請求項５の発明は、請求項１または３において、前記親機は、録画画像のデータを格納する記憶媒体を着脱自在に備え、録画画像のデータは、撮像した撮像手段の用途毎に区別できるように記憶媒体に格納されることを特徴とする。
【００１５】
この発明によれば、録画画像のデータをパソコン等で編集する際に、データの整理が容易に行なえる。
【００１６】
請求項６の発明は、請求項２または４において、前記親機は、録画画像のデータを格納する記憶媒体を着脱自在に備え、録画画像のデータは、撮像した撮像手段毎に区別できるように記憶媒体に格納されることを特徴とする。
【００１７】
この発明によれば、録画画像のデータをパソコン等で編集する際に、データの整理が容易に行なえる。
【発明の効果】
【００１８】
以上説明したように、本発明では、用途の異なる撮像手段による録画画像を区別して再生することができ、再生した録画画像の確認作業を容易に行なうことができるという効果がある。
【発明を実施するための最良の形態】
【００１９】
以下、本発明の実施の形態を図面に基づいて説明する。
【００２０】
（実施形態１）
本実施形態の録画機能付テレビドアホンは、図１に示すように来客を撮像する撮像手段（以下、ドアホンカメラ２０と称す）を具備して玄関の宅外側に設置されるカメラ付ドアホン子器２ａと、来客を撮像するドアホンカメラ２０を具備して勝手口の宅外側に設置されるカメラ付ドアホン子器２ｂと、不審者を撮像するカメラ部３０ａおよび不審者を検知する人感センサ部３０ｂを具備した撮像手段（以下、センサーカメラ３０と称す）を具備して庭または宅内に設置されるカメラ子器３と、ドアホンカメラ２０、センサーカメラ３０で撮像された映像を表示する映像表示用モニター１０を具備して宅内に設置されるドアホン親機１とで構成される。ドアホン親機１と、カメラ付ドアホン子器２ａ，２ｂ、カメラ子器３とは、２線式伝送線Ｌを介して接続されている。
【００２１】
ドアホン親機１は、商用電源を供給されて、映像表示用モニター１０と、通話表示ＬＥＤ１１と、各種操作を行なうための後述する釦１２ａ〜１２ｆからなる操作部１２とを前面に備え、前面の複数の孔１９内側にはマイクＭ、スピーカＳＰが収納されている。図２はドアホン親機１の回路ブロックを示しており、カメラ付ドアホン子器２ａ，２ｂ、カメラ子器３からの各入力は子器切替制御部１３によっていずれか１つに切り替えられて、通話制御部１４を介してスピーカＳＰ，マイクＭと子器との間で通話が行なわれるとともに、トランス１５を介してアンプ１６にも入力され、アンプ１６の出力は録画回路ブロック１７を介して画像表示用モニター１０に入力される。そして操作部１２が接続されたＣＰＵ１８によって上記各部の動作は制御されるとともに、通話表示ＬＥＤ１１も駆動される。
【００２２】
子器切替制御部１３は、２つの切替部１３ａ，１３ｂで構成され、切替部１３ａは、カメラ付ドアホン子器２ａに接続した接点と、カメラ付ドアホン子器２ｂに接続した接点とを具備して、いずれか一方の接点が出力に接続されるように切り替え、切替部１３ｂは、カメラ子器３に接続した接点と、切替部１３ａの出力に接続した接点とを具備して、いずれか一方の接点が出力に接続されるように切り替える。
【００２３】
カメラ付ドアホン子器２ａ，２ｂは、ドアホンカメラ２０と、呼出釦２１と、受光部２２とを備え、前面のスリット２３内側にはマイク、スピーカ（図示なし）が収納されている。
【００２４】
カメラ子器３は、センサーカメラ３０と、照明器具３１とを備え、センサーカメラ３０は、カメラ部３０ａと人感センサ部３０ｂとから構成される。
【００２５】
このような構成の録画機能付テレビドアホンの動作について、以下に説明する。通常は、いずれかのカメラ付ドアホン子器２ａ，２ｂの呼出釦２１を来客が押操作することで子器呼出処理が開始され、ドアホン親機１のスピーカＳＰから子器呼出音が出力される。このとき、ドアホン親機１は、呼出操作されたカメラ付ドアホン子器のドアホンカメラ２０による来客の撮影を開始して、その映像をドアホン親機１の映像表示用モニター１０に表示し、録画回路ブロック１７はその映像から１枚の静止画を録画する。そして、ドアホン親機１で、通話・モニター釦１２ａを押操作すれば、呼出操作したカメラ付ドアホン子器との間での通話が可能となる。通話表示ＬＥＤ１１は、呼出時に点滅し、通話時に点灯する。なお、ドアホンカメラ２０による映像は受光部２２によって露出調整されている。
【００２６】
カメラ子器３の人感センサ部３０ｂが不審者を検知した場合、ドアホン親器１は照明器具３１を点灯させて、スピーカＳＰから報知音を鳴動させるとともに、カメラ部３０ａが撮像した映像をドアホン親機１の映像表示用モニター１０に表示させて、録画回路ブロック１７はその映像から１枚の静止画を録画する。
【００２７】
上記ドアホンカメラ２０およびセンサーカメラ３０による撮像映像が順光や逆光によって見えにくい場合は、映像補正釦１２ｇを押操作することで映像が補正され、見やすい映像となる。
【００２８】
また、ドアホン親機１の室内呼出釦１２ｃを押操作すれば、接続された他のドアホン親機やドアホン副親機（図示なし）を呼び出して、内線通話が可能となる。
【００２９】
また、ドアホン親機１のモニター釦１２ｂを１回押操作すれば、カメラ付ドアホン子器２ａによる玄関周辺の撮影が開始され、その映像が、ドアホン親機１の映像表示用モニター１０に表示され、カメラ付ドアホン子器２ａによる映像を監視することが可能となる。モニター釦１２ｂを２回押操作すれば、カメラ付ドアホン子器２ｂによる勝手口周辺の監視が可能となり、モニター釦１２ｂを３回押操作すれば、カメラ子器３による庭周辺や宅内の監視が可能となり、モニター釦１２ｂを４回押操作すれば、監視動作は終了する。
【００３０】
また、ドアホン親機１の電気錠施解錠釦１２ｄを押操作すれば、玄関の電気錠（図示なし）を施錠あるいは解錠する。
【００３１】
次に、留守時の動作について図３のフローチャートを用いて説明する。ドアホン親機１で留守録設定釦１２ｅが押操作されたときには留守録設定となり、この状態で、いずれかのカメラ付ドアホン子器２ａ，２ｂの呼出釦２１が来客によって押操作されて子器呼出処理を開始すると（ステップＳ１）、ドアホン親機１のスピーカＳＰからは子器呼出音が出力され（ステップＳ２）、このとき、ドアホン親機１は、呼出操作されたカメラ付ドアホン子器のドアホンカメラ２０による来客の撮影を開始し、録画回路ブロック１７は。その映像が映像表示用モニター１０に映し出されるタイミングで（ステップＳ３）、そのときの映像を１枚目の静止画として録画する（ステップＳ４）。
【００３２】
この後、ドアホン親機１で、通話・モニター釦１２ａを押操作すれば（ステップＳ５）、呼出操作されたカメラ付ドアホン子器との間での通話が開始される（ステップＳ６）。
【００３３】
ドアホン親機１で、通話・モニター釦１２ａを押操作されない場合（ステップＳ５）、録画回路ブロック１７は、３画面を録画するまで（ステップＳ７）、３秒間隔で録画する（ステップＳ８）。
【００３４】
３秒間隔で３画面を録画する動作が終了しても、子器呼出から３０秒経過するまでであれば（ステップＳ１１）、ドアホン親機１で、通話・モニター釦１２ａを押操作することで（ステップＳ９）、呼出操作されたカメラ付ドアホン子器との間での通話が開始される（ステップＳ１０）。子器呼出から３０秒経過すれば（ステップＳ１１）、子器呼出処理は終了する（ステップＳ１２）。
【００３５】
また、子器呼出処理が開始されると、呼出操作したカメラ付ドアホン子器のスピーカから応答メッセージを流した後、来客の伝言をカメラ付ドアホン子器のマイクを介してドアホン親機１に録音してもよい。
【００３６】
図４は、上記録画処理を示すタイミングチャートであり、子器呼出処理が開始されると（時間ｔ＝０）、ドアホン親機１では子器呼出音がスピーカＳＰから出力される。そして、ドアホン親機１の映像表示用モニター１０で映像表示が開始される（時間ｔ１）のと略同時のタイミングで（時間ｔ２＝ｔ１＋α）１枚目の画像が録画される。２枚目の録画は１枚目の録画の３秒後（時間ｔ３＝ｔ２＋３秒）、３枚目の録画は２枚目の録画の３秒後（時間ｔ４＝ｔ３＋３秒）に行なわれる。
【００３７】
また、留守録設定時にカメラ子器３の人感センサ部３０ｂが不審者を検知した場合、ドアホン親器１は照明器具３１を点灯させるとともに、来客時と同様にカメラ部３０ａが撮像した３枚の映像を録画回路ブロック１７が録画する。
【００３８】
上記のように来客時、および不審者検知時に録画された各画像は、再生釦１２ｆを押操作することで映像表示用モニター１０に再生表示されるのであるが、以下、その録画画像の再生処理について図５を用いて説明する。まず、外出から帰ってきた家人が録画画像を確認しようとして再生釦１２ｆを押操作すると録画画像の再生処理が開始され（ステップＳ２０）、映像表示用モニター１０に、録画画像の再生モード選択画面が表示される（ステップＳ２１）。再生モード選択画面には、［１．来客画像］、［２．センサー画像］、［３．全ての画像］という３つの選択肢が表示され、再生釦１２ｆを押操作することで［１．来客画像］→［２．センサー画像］→［３．全ての画像］→［１．来客画像］→．．．の順に各項目が反転表示される。そして、映像補正釦１２ｇ（あるいは別途設けた決定釦等）を押操作することで反転表示された項目が選択され、各項目に対応した再生処理が行なわれる。
【００３９】
まず、［１．来客画像］を選択した場合、録画回路ブロック１７は、カメラ付ドアホン子器２ａ，２ｂの各ドアホンカメラ２０で撮像された来客画像のみを時系列順に再生して、映像表示用モニター１０に表示させる。１回の子器呼出処理時に録画された３枚の来客画像は連続して再生され、次の子器呼出処理時に録画された３枚の来客画像は再生釦１２ｆを押操作することで順に再生される（ステップＳ２２）。あるいは、各ドアホンカメラ２０で撮像した全ての来客画像を連続して再生してもよい。そして、録画している全ての来客画像を再生すれば、再生処理は終了する（ステップＳ２３）。
【００４０】
また、［２．センサー画像］を選択した場合、録画回路ブロック１７は、カメラ子器３のセンサーカメラ３０で撮像されたセンサーカメラ画像のみを時系列順に再生して、映像表示用モニター１０に表示させる。１回の不審者検知時に録画された３枚のセンサーカメラ画像は連続して再生され、次の不審者検知時に録画された３枚のセンサーカメラ画像は再生釦１２ｆを押操作することで順に再生される（ステップＳ２４）。あるいは、センサーカメラ３０で撮像した全てのセンサーカメラ画像を連続して再生してもよい。そして、録画している全てのセンサーカメラ画像を再生すれば、再生処理は終了する（ステップＳ２５）。
【００４１】
また、［３．全ての画像］を選択した場合、録画回路ブロック１７は、カメラ付ドアホン子器２ａ，２ｂの各ドアホンカメラ２０で撮像された来客画像、およびカメラ子器３のセンサーカメラ３０で撮像されたセンサーカメラ画像を時系列順に混在させて再生し、映像表示用モニター１０に表示させる。つまり全ての録画画像を時系列順に再生するのである（ステップＳ２６）。そして、全ての録画画像を再生すれば、再生処理は終了する（ステップＳ２７）。
【００４２】
ここで、外出中に訪問してきた来客を撮像した来客画像と、不審者を撮像したセンサーカメラ画像とでは、再生する目的が異なる。すなわち、来客画像の再生は来客確認のためであり、センサーカメラ画像の再生は防犯監視のためであるが、本実施形態では、来客確認を用途とするドアホンカメラ２０で撮像した来客の録画画像のみを再生したり、防犯監視を用途とするセンサーカメラ３０で撮像した不審者の録画画像のみを再生することで、用途の異なる撮像手段による録画画像を、撮像手段の用途毎に区別して再生することができ、帰宅時に、来客と不審者とを容易に区別して確認することができる。
【００４３】
なお、本実施形態では、来客確認用の撮像手段と防犯監視用の撮像手段とを例にして説明したが、撮像手段の用途をさらに増やした場合でも、上記同様に用途の異なる撮像手段による録画画像を撮像手段の用途毎に区別して再生すればよい。
【００４４】
（実施形態２）
本実施形態の録画機能付テレビドアホンは実施形態１と略同様であるが、来客時および不審者検知時に録画された各画像の再生処理が異なる。実施形態１と同様の構成には同一の符号を付して説明は省略する。
【００４５】
本実施形態の録画画像の再生処理について図６を用いて説明する。まず、外出から帰ってきた家人が録画画像を確認しようとして再生釦１２ｆを押操作すると録画画像の再生処理が開始され（ステップＳ３０）、映像表示用モニター１０に、録画画像の再生モード選択画面が表示される（ステップＳ３１）。再生モード選択画面には、［１．子器２ａ］、［２．子器２ｂ］、［３．子器３］、［４．全ての画像］という４つの選択肢が表示され、再生釦１２ｆを押操作することで［１．子器２ａ］→［２．子器２ｂ］→［３．子器３］→［４．全ての画像］→［１．子器２ａ］→．．．の順に各項目が反転表示される。そして、映像補正釦１２ｇ（あるいは別途設けた決定釦等）を押操作することで反転表示された項目が選択され、各項目に対応した再生処理が行なわれる。
【００４６】
まず、［１．子器２ａ］を選択した場合、録画回路ブロック１７は、カメラ付ドアホン子器２ａのドアホンカメラ２０で撮像された来客画像のみを時系列順に再生して、映像表示用モニター１０に表示させる。１回の子器呼出処理時に録画された３枚の来客画像は連続して再生され、次の子器呼出処理時に録画された３枚の来客画像は再生釦１２ｆを押操作することで順に再生される（ステップＳ３２）。あるいは、カメラ付ドアホン子器２ａのドアホンカメラ２０で撮像した全ての来客画像を連続して再生してもよい。そして、カメラ付ドアホン子器２ａで録画している全ての来客画像を再生すれば、再生処理は終了する（ステップＳ３３）。
【００４７】
また、［２．子器２ｂ］を選択した場合、録画回路ブロック１７は、カメラ付ドアホン子器２ｂのドアホンカメラ２０で撮像された来客画像のみを時系列順に再生して、映像表示用モニター１０に表示させる。１回の子器呼出処理時に録画された３枚の来客画像は連続して再生され、次の子器呼出処理時に録画された３枚の来客画像は再生釦１２ｆを押操作することで順に再生される（ステップＳ３４）。あるいは、カメラ付ドアホン子器２ｂのドアホンカメラ２０で撮像した全ての来客画像を連続して再生してもよい。そして、カメラ付ドアホン子器２ｂで録画している全ての来客画像を再生すれば、再生処理は終了する（ステップＳ３５）。
【００４８】
また、［３．子器３］を選択した場合、録画回路ブロック１７は、カメラ子器３のセンサーカメラ３０で撮像されたセンサーカメラ画像のみを時系列順に再生して、映像表示用モニター１０に表示させる。１回の不審者検知時に録画された３枚のセンサーカメラ画像は連続して再生され、次の不審者検知時に録画された３枚のセンサーカメラ画像は再生釦１２ｆを押操作することで順に再生される（ステップＳ３６）。あるいは、センサーカメラ３０で撮像した全てのセンサーカメラ画像を連続して再生してもよい。そして、録画している全てのセンサーカメラ画像を再生すれば、再生処理は終了する（ステップＳ３７）。
【００４９】
また、［４．全ての画像］を選択した場合、録画回路ブロック１７は、カメラ付ドアホン子器２ａ，２ｂの各ドアホンカメラ２０で撮像された来客画像、およびカメラ子器３のセンサーカメラ３０で撮像されたセンサーカメラ画像を時系列順に混在させて再生し、映像表示用モニター１０に表示させる。つまり全ての録画画像を時系列順に再生するのである（ステップＳ３８）。そして、全ての録画画像を再生すれば、再生処理は終了する（ステップＳ３９）。
【００５０】
ここで、玄関に設置されたカメラ付ドアホン子器２ａ、および勝手口に設置されたカメラ付ドアホン子器２ｂは来客を撮像する事が多く、庭または宅内に設置されたカメラ子器３は不審者を撮像することが多い。したがって、本実施形態では、来客確認を用途とするカメラ付ドアホン子器２ａ，２ｂの録画画像のみを子器毎に各々再生したり、防犯監視を用途とするセンサーカメラ３０で撮像した不審者の録画画像のみを再生することで、用途の異なる撮像手段による録画画像を、撮像手段毎に区別して再生することができ、帰宅時に、来客と不審者とを容易に区別して確認することができる。
【００５１】
なお、本実施形態では、来客確認用の撮像手段と防犯監視用の撮像手段とを例にして説明したが、撮像手段の用途をさらに増やした場合でも、上記同様に用途の異なる撮像手段による録画画像を撮像手段毎に区別して再生すればよい。
【００５２】
（実施形態３）
本実施形態の録画機能付テレビドアホンは、実施形態１のドアホン親機１に、図７に示すＳＤメモリーカードやコンパクトフラッシュ（登録商標）等の外部メモリカード４を着脱自在に設けたもので、実施形態１と同様の構成には同一の符号を付して説明は省略する。
【００５３】
外部メモリカード４には、ドアホン親機１に装着した状態で、録画回路ブロック１７に録画されているカメラ付ドアホン子器２ａ，２ｂの各ドアホンカメラ２０で撮像された来客画像のデータ、およびカメラ子器３のセンサーカメラ３０で撮像されたセンサーカメラ画像のデータを格納することができる。
【００５４】
そして、その外部メモリカード４をパソコンに外部メモリとして装着することで、パソコンで録画画像の編集を行うことができる。この際、パソコンの画面上で作業を行なうのであるが、図８に示すように、データ検索時のパソコンの画面上に、録画画像フォルダ５ａを作成し、録画画像フォルダ５ａの下位に来客画像フォルダ５ｂとセンサーカメラ画像フォルダ５ｃとを作成し、来客画像フォルダ５ｂ内に来客画像データを格納し、センサーカメラ画像フォルダ５ｃ内にセンサーカメラ画像データを格納するように、外部メモリカード４に来客画像、センサーカメラ画像の各データを格納しておくことで、録画画像のデータをパソコン等で編集する際に、データの整理が容易に行なえる。
【００５５】
例えば、来客画像のデータとセンサーカメラ画像のデータとをファイル名で区別する、あるいは外部メモリカード４内の格納領域で区別する、あるいは各データへの添付データで区別する等で、図７の形態を実現できる。
【００５６】
（実施形態４）
本実施形態の録画機能付テレビドアホンは、実施形態２のドアホン親機１に、図７に示すような外部メモリカード４を着脱自在に設けたもので、実施形態２と同様の構成には同一の符号を付して説明は省略する。
【００５７】
外部メモリカード４には、ドアホン親機１に装着した状態で、録画回路ブロック１７に録画されているカメラ付ドアホン子器２ａ，２ｂの各ドアホンカメラ２０で撮像された来客画像のデータ、およびカメラ子器３のセンサーカメラ３０で撮像されたセンサーカメラ画像のデータを格納することができる。
【００５８】
そして、その外部メモリカード４をパソコンに外部メモリとして装着することで、パソコンで録画画像の編集を行うことができる。この際、パソコンの画面上で作業を行なうのであるが、図９に示すように、データ検索時のパソコンの画面上に、録画画像フォルダ６ａを作成し、録画画像フォルダ６ａの下位に子器２ａ画像フォルダ６ｂと子器２ｂ画像フォルダ６ｃと子器３画像フォルダ６ｄとを作成し、子器２ａ画像フォルダ６ｂ内にカメラ付ドアホン子器２ａの来客画像データを格納し、子器２ｂ画像フォルダ６ｃ内にカメラ付ドアホン子器２ｂの来客画像データを格納し、センサーカメラ画像フォルダ６ｄ内にカメラ子器３のセンサーカメラ画像データを格納するように、外部メモリカード４に来客画像、センサーカメラ画像の各データを格納しておくことで、録画画像のデータをパソコン等で編集する際に、データの整理が容易に行なえる。
【００５９】
例えば、カメラ付ドアホン子器２ａの来客画像データとカメラ付ドアホン子器２ｂの来客画像データとカメラ子器３のセンサーカメラ画像データとをファイル名で区別する、あるいは外部メモリカード４内の格納領域で区別する、あるいは各データへの添付データで区別する等で、図７の形態を実現できる。
【図面の簡単な説明】
【００６０】
【図１】本発明の実施形態１の録画機能付テレビドアホンの構成を示す図である。
【図２】同上の親機の回路ブロックを示す図である。
【図３】同上の留守時の映像録画動作を示すフローチャート図である。
【図４】同上の留守時の映像録画動作を示すタイムチャート図である。
【図５】同上の録画画像の再生処理を示す図である。
【図６】本発明の実施形態２の録画機能付テレビドアホンの録画画像の再生処理を示す図である。
【図７】本発明の実施形態３，４のドアホン親機の構成を示す図である。
【図８】本発明の実施形態３のデータ検索時のパソコン画面を示す概略図である。
【図９】本発明の実施形態４のデータ検索時のパソコン画面を示す概略図である。
【図１０】従来の録画画像の再生処理を示す図である。
【符号の説明】
【００６１】
１  親機
２ａ，２ｂ  カメラ付ドアホン子器
３  カメラ子器
１０  映像表示用モニター
２０  ドアホンカメラ
３０  センサーカメラ
【図１】
2006157178.tif 000003
【図２】
2006157178.tif 000004
【図３】
2006157178.tif 000005
【図４】
2006157178.tif 000006
【図５】
2006157178.tif 000007
【図６】
2006157178.tif 000008
【図７】
2006157178.tif 000009
【図８】
2006157178.tif 000010
【図９】
2006157178.tif 000011
【図１０】
2006157178.tif 000012